(57)【特許請求の範囲】
【請求項１】
外筒である錠固定手段を有する筒状の錠本体１と、内筒である挿入された鍵の凹凸と錠固定手段とが整合した際に、解錠されて錠本体内にて回動する前記鍵を挿入し得る鍵孔８を有する回転体２とからなる既存の開閉表示機構無しの正面から内筒である回転体を交換できるタイプの回転錠において、前記内筒である回転体２には、錠本体１と係合する鍔部４の一部に切り欠いた表示窓５を設け、錠本体１には、回転体２の鍔部４の一部を切り欠いた表示窓５の部分に対応するように、開、閉を判別できる別個の表示部６を設け、この表示窓５と表示部６との関連を規制する回転体２の鍔部４の裏側には回転規制用の内筒ストッパ９を形成し、該内筒ストッパ９は鍔部４の表示窓５と略対向する位置に設け、錠本体１のインロー部７には回転体２の鍔部４に設けた前記内筒ストッパ９と衝突するように回転を規制する外筒ストッパ１０が形成されたことを特徴とする開閉表示機構付錠。
【発明の詳細な説明】
【０００１】
【発明の属する技術分野】
本発明は、机やキャビネット、収納庫等の家具や建物の扉に広く使用することができる鍵の掛け忘れを視覚で確認できるようにした開閉表示機構付錠に関するものである。
【０００２】
【従来の技術】
従来の技術として、内側に向けて付勢された錠固定手段を有する筒状の錠本体と、挿入された鍵の凹凸と錠固定手段とが整合した際に解錠されて錠本体内にて回動する前記鍵を挿入し得る鍵孔を有する回転体と、前記回転体の鍵孔近傍で、かつ回転体が施錠状態で停止する施錠位置と解錠状態で停止する解錠位置とに対応して設けられるそれぞれの極性の異なる永久磁石と、前記錠本体の正面に可視可能に配置され前記永久磁石の極性に応じて反転して施錠と解錠とに対応する表示を行う永久磁石に対応する磁性を有する表示手段とを具備した錠（特開平７−２５９３９８号公報参照）が存在している。
【０００３】
【発明が解決しようとする課題】
前記で示された従来技術は、表示手段を小型化するために、構造が特別なもので、しかも、極性の異なる永久磁石と、錠本体の正面に可視可能に配置され、前記永久磁石の極性に応じて反転して施錠と解錠とに対応する表示を行う永久磁石に対応する磁性を有する表示手段を具備したものが開示されている。
【０００４】
しかしながら、上記従来技術においては、全く新規に錠の各部材を製作し、しかも、表示手段として永久磁石を採用しなければならなく、製作も困難であり、高価な錠になってしまうという問題があった。
【０００５】
本発明は、このような事情に鑑み、前記従来技術の欠点を解消し、簡単な構成により、既存の従来公知の錠である、外筒である錠固定手段を有する筒状の錠本体と、内筒である挿入された鍵の凹凸と錠固定手段とが整合した際に、解錠されて錠本体内にて回動する前記鍵を挿入し得る鍵孔を有する回転体とからなる既存の錠の回転体の鍔部を一部切り欠き、この回転体の鍔部の一部切り欠いた表示窓の部分と対応するように錠本体に開・閉を判別できる表示部を設けた開閉表示機構付錠を提供することを目的とするものである。
【０００６】
【課題を解決するための手段】
本発明は、前記課題の解決を図ったもので、次のような技術手段を採用した。請求項１記載の発明においては、外筒である錠固定手段を有する筒状の錠本体１と、内筒である挿入された鍵の凹凸と錠固定手段とが整合した際に、解錠されて錠本体内にて回動する前記鍵を挿入し得る鍵孔８を有する回転体２とからなる既存の開閉表示機構無しの正面から内筒である回転体を交換できるタイプの回転錠において、前記内筒である回転体２には、錠本体１と係合する鍔部４の一部に切り欠いた表示窓５を設け、錠本体１には、回転体２の鍔部４の一部を切り欠いた表示窓５の部分に対応するように、開、閉を判別できる別個の表示部６を設け、この表示窓５と表示部６との関連を規制する回転体２の鍔部４の裏側には回転規制用の内筒ストッパ９を形成し、該内筒ストッパ９は鍔部４の表示窓５と略対向する位置に設け、錠本体１のインロー部７には回転体２の鍔部４に設けた前記内筒ストッパ９と衝突するように回転を規制する外筒ストッパ１０が形成されるという技術手段を採用した。
【０００７】
【発明の実施の形態】
本発明は、既存の外筒である錠本体に正面から内筒である回転体を差し込むタイプの錠を採用し、表示部がなるべく表面側に設けることができるようになった極めて簡単な切り欠き加工と表示部を設けるだけで得ることができるものである。この切り欠き加工は、内筒である回転体の鍔部の外周の一部を適宣の長さ円弧状に切り欠き、表示窓としてこの回転体を錠本体に差し込むと、鍔部が係合できるように錠本体の正面側にインロー状段部が形成されている。この錠本体の段部に前記鍔部の切り欠き部である表示窓に対応するように、開と閉を表示する例えば、青色と赤色の表示部が設けられている開閉表示機構付錠である。
【０００８】
【実施例】
以下、本発明の一実施例を添付図面で詳細に説明する。
先ず、図１に基づいて、具体的な一実施例としてデッドボルトを有する錠について簡単に説明する。
【０００９】
外筒である錠本体１と、該錠本体１に対して、必ず前面から内筒である回転体２を交換して差し込む。この回転体２の後部にはボス部が出ており、ワッシャとデッドボルト３を挟んでボス部を潰し、カシメたものである。この他、錠本体１に差し込んだ回転体２の抜け止め手段としては、図示してないが回転体２の後部にネジが設けられており、ワッシャを介して、ナットで締め付けるもの。
【００１０】
あるいは、錠本体１の内部後方に溝が形成されており、該溝に回転体２の後部にスプリングを介して止め輪が取り付けられており、止め輪を引っ込ませて挿入して定位置（溝部）で飛び出て溝に引っかかるもの等がある。
【００１１】
本発明の具体的な一実施例を図２〜図６に基づいて詳細に説明する。
図２〜図４からも理解できるように、外筒である錠固定手段を有する筒状の錠本体１と、内筒である挿入された鍵の凹凸と錠固定手段とが整合した際に、解錠されて錠本体１内にて回動する前記鍵を挿入し得る鍵孔８を有する回転体２とからなる既存の錠で、前記内筒である回転体２は、鍵を挿入する正面側に、外筒である錠本体１のインロー部７に係合するような鍔部４が形成されていて、この鍔部４の外周部の一部を切り欠いて表示窓５を形成してある。そして、図からも理解できるように表示窓５と表示部６との関連を規制する回転体２の鍔部４の裏側に表示窓５に対して回転を規制する適宣幅の内筒ストッパ９が形成されている。
【００１２】
この表示窓５には、これを閉鎖する透明部材で覆うこともある。この透明部材は凸レンズの機能を持たせればより、確実に視覚で判別できる。
【００１３】
また、錠本体１には、前記回転体２を差し込んだ時に表示窓５に対応するように表示部６を図４、図６のように、固定している。しかも、錠本体１のインロー状段部７に外筒ストッパ１０が略対角状に一体的に形成されている。この外筒ストッパ１０は回転体２に形成した回転すると係合する内筒ストッパ９とで、回転体２の回転を規制するものである。
なお、この表示部６は、別個に形成せずに錠本体１に直接色塗料を塗布しても同一の作用、効果を奏するものである。
【００１４】
さらに、図５に示すように、９０度回転錠においては、回転体２に鍵を挿入して９０度回転できるように回転体２の表示窓５と略対向する部分の裏側に形成した回転規制用の内筒ストッパ９と、錠本体１の略中心に対向状に形成した外筒ストッパ１０とで回転を規制しているものである。そして鍵を回転体２に挿入した際、その位置が施錠状態（ａ）であれば、それから９０度鍵により回転体２を回転させて、解錠状態（ｂ）にするものである。この回転体２が回転することによって回転体２に一体的に形成した表示窓５の表示する部分の位置が移動して、色彩による視覚確認と同時に表示位置が変わるので、極めて確実に開閉状態が判別できるものである。
【００１５】
次に、図７、図８に基づいて、１８０度回転錠について説明する。
１８０度回転錠は、鍵を回転体２に挿入して、施錠状態（ａ）から１８０度回転体２を回転させて、解錠状態（ｂ）にするものである。この回転体２が回転することによって回転体２に一体的に形成した表示窓５の表示する部分の位置が移動して、前記図５で説明した９０度回転錠と同様に、色彩による視覚確認と同時に、表示位置（この実施例の場合は上・下）が変わるので、極めて単純で確実に開閉状態が判別できるものである。
【００１６】
尚、以上の具体的実施例について説明したが、９０度回転錠、１８０度回転錠のそれぞれには、左右に９０度あるいは１８０度回転させるとストップするように、回転体２には内筒ストッパ９が、錠本体１には、外筒ストッパ１０を設けると共に特に１８０度回転錠は図８、図９に示すように、錠本体１のインロー部７に係合する表示部６は、略１８０度分の半円形状で、その半分ずつを例えば開の青色部分と閉の赤色部分にしたもので、この表示部６は錠本体１の外筒ストッパ１０の両端間略２７０度分を回転自在になっており、回転体２に形成した内筒ストッパ９は外筒ストッパ１０上を摺動するものであるので、外筒ストッパ１０の略９０度分と遊び部１１の略９０度分の間を計１８０度分回転できるものである。従って、図８に示すように約１／４円の遊び部１１を含めて、切り欠き部分が略２７０度分設けて外筒ストッパ１０を形成してあることはいうまでもない。
【００１７】
次に、上記のような構成をしているので、既存のシリンダ錠の錠本体１に表示部を設け、この錠本体１に差し込む回転体２を設け、この錠本体１の表示部に対応して、回転体２に表示窓５を形成してあるので、回転体２の鍵孔に鍵を挿入して、回転することにより、回転体２が回転されると回転体２の表示窓５も同時に回転して錠本体１の表示部の見える部分が変わることにより、表示された部分に閉の場合は例えば赤色、開の場合は青色の表示部が現われるように設けたものである。
【００１８】
次に、錠本体１に直接色表示することによって表示部６をなるべく表面側に位置するようにするには、図１０〜図１２に示すように、回転ストッパを後部に形成することで解決でき、これは、９０度回転錠も１８０度回転錠も同一の技術思想で奏されるもので、直接色表示の表示部６が９０度回転錠の場合は図１３、１８０度回転錠の場合は図１４に示すように表示することになる。
【００１９】
また、図８、図９で示した別個の表示部６を略１８０度の半円のものを回動自在に設けたものに換えて、図１５、図１６に示すように、開閉表示部を対向させて、略９０度分の表示部６に対する場合は、直接色表示することにより行うもので、回転体２の表示窓５に対向するように、約１／４円の内筒ストッパ９を形成し、錠本体１のインロー部７に表示部６を外れた部分に略９０度分の外筒ストッパ１０を形成したものである。
【００２０】
なお、これは、表示部６を別個に設けて、外筒ストッパ１０より表面に近くするのは無理であるが図１５、図１６に示すように表示部６が若干奥側に位置（外筒ストッパより深い）することになるが、それが許されるのであれば、この実施例のようにすることも可能である。
【００２１】
【発明の効果】
本発明は、以上の構成を採用した結果、次のような効果を得ることができる。
（１）従来のように、鍵と表示機構を連動させる煩わしさを無くすことが出来、しかもスペースも必要無い。
【００２２】
（２）開・閉の表示位置が変わるので、離れた所からでも色による認識が不可能でも位置で認識できるので、鍵の掛け忘れを視覚で確認できる。
【００２３】
（３）共用什器において、使う時に視覚で鍵の開閉状態が解かるので、便利である。
【００２４】
（４）社内における書類の管理として、鍵の開閉状態が視覚で確認できる。
【図面の簡単な説明】
【図１】  本発明の一実施例であるデッドボルト付の錠を示す概略斜視図である。
【図２】  本発明の一実施例で、要旨である外筒の錠本体と内筒である回転体を分解して示す概略斜視図である。
【図３】  前記実施例における、外筒である錠本体に内筒である回転体を差し込んだ状態を示す、錠本体のみ断面にした概略断面図である。
【図４】  本発明の一実施例の９０度回転錠における要旨である外筒の錠本体と表示部材との関連を示す分解概略斜視図である。
【図５】  本発明の一実施例の９０度回転錠における閉状態を示すものを（ａ）に、開状態を示すものを（ｂ）に示す概略正面図である。
【図６】  図５における外筒である錠本体に設けた表示部の要部を示す一部横断面図である。
【図７】  本発明の一実施例の１８０度回転錠における閉状態を示すものを（ａ）に、開状態に示すものを（ｂ）に示す概略正面図である。
【図８】  前記実施例における、１８０度回転錠を分解して示す分解斜視図である。
【図９】  前記実施例における、１８０度回転錠の要部断面図である。
【図１０】  ストッパを後部に設ける９０度回転錠の実施例の外筒である錠本体の断面図である。
【図１１】  図１０で示す実施例の外筒である錠本体を後部から見た斜視図である。
【図１２】  後部に回転ストッパを設けた９０度回転錠の実施例の裏面から見た正面図である。
【図１３】  ９０度回転錠の後部にストッパを設けた実施例の外筒である錠本体の段差面に直接色表示をしたところを示す正面図である。
【図１４】  １８０度回転錠の後部にストッパを設けた実施例の外筒である錠本体の段差面に直接色表示をしたところを示す正面図である。
【図１５】  １８０度回転錠の前部にストッパを設けた実施例の錠本体と回転体を分解したところを示す分解斜視図である。
【図１６】  図１５で示す錠本体の断面図である。
【符号の説明】
１・・・・錠本体                          ２・・・・回転体
３・・・・デッドボルト                    ４・・・・鍔部
５・・・・表示窓                          ６・・・・表示部
７・・・・インロー部                      ８・・・・鍵孔
９・・・・内筒ストッパ                  １０・・・・外筒ストッパ
１１・・・・遊び部
【図１】
0004248032.tif 000002
【図２】
0004248032.tif 000003
【図３】
0004248032.tif 000004
【図４】
0004248032.tif 000005
【図５】
0004248032.tif 000006
【図６】
0004248032.tif 000007
【図７】
0004248032.tif 000008
【図８】
0004248032.tif 000009
【図９】
0004248032.tif 000010
【図１０】
0004248032.tif 000011
【図１１】
0004248032.tif 000012
【図１２】
0004248032.tif 000013
【図１３】
0004248032.tif 000014
【図１４】
0004248032.tif 000015
【図１５】
0004248032.tif 000016
【図１６】
0004248032.tif 000017